(57)【要約】      （修正有）【課題】レースのゴールにおける競技者間の距離を示す画像を取得することができる方法を提示する。【解決手段】方法は、第１の規定の周波数で、レースのゴールラインの第１のシリーズの一次元瞬間画像を取得し、第２の規定の周波数で、同一のゴールラインの第２のシリーズの二次元瞬間画像を同時に取得する。写真判定型の時間的画像１０を第１のシリーズの瞬間画像から形成し、時間的画像の瞬間１５、２２を選択する。さらに、選択された瞬間に相関する第２のシリーズの二次元画像を分析して、少なくとも１つの距離を測定する。そして、分析された二次元画像を、測定された１または複数の距離とともに表示する。【選択図】図２
2020096356.tif 000002
【特許請求の範囲】
【請求項１】
具体的にはスポーツ分野のレースのゴールの瞬間画像（２０、３０）を、同一のゴールの写真判定型の時間的画像（１０）から表示するための方法（１）であって、前記方法（１）は、少なくとも１つのビデオカメラ（４４、４５）と表示装置（４３）を備える表示システム（４０）によって実施され、前記方法は、
−第１の規定の周波数で、レースの前記ゴールライン（１９）の第１のシリーズの一次元瞬間画像を取得すること（２）であって、前記空間次元は前記ゴールライン（１９）に沿って実質的に延びることと、
−第２の規定の周波数で、前記同一のゴールライン（１９）の二次元瞬間画像（２０、３０）の第２のシリーズを同時に取得すること（３）であって、前記第１の空間次元は前記ゴールライン（１９）に沿って実質的に延びることと、前記第２の空間次元は前記レースの方向に実質的に延びることと、
−前記写真判定型の時間的画像（１０）を前記第１のシリーズの瞬間画像から形成すること（６）であって、前記画像は取得順に並列であり、それによって前記時間的画像（１０）の前記横座標（１１）は時間次元を示し、前記横座標（１１）の各点は前記ゴールライン（１９）の任意の瞬間に対応することと、
−前記時間的画像（１０）の瞬間（１５、２２）を選択すること（７）と、
−前記第２のシリーズの二次元画像（２０、３０）を分析すること（８）であって、前記画像は前記選択された瞬間（１５、２２）に相関し、少なくとも１つの距離（２１、２３、２４）を測定することと、
−前記分析された二次元画像（２０、３０）を前記測定された１または複数の距離（２１、２３、２４）とともに表示すること（９）と、
を含むことを特徴とする、方法。
【請求項２】
請求項１に記載の方法（１）であって、前記時間的写真判定画像（１０）は前記瞬間（１５、２２）を選択するために表示されることを特徴とする、方法。
【請求項３】
請求項１または請求項２に記載の方法（１）であって、取得時間は前記２つのシリーズの画像の取得中に測定され、時間は前記２つのシリーズの各画像に起因することを特徴とする、方法。
【請求項４】
請求項１から請求項３のいずれか一項に記載の方法（１）であって、前記２つのシリーズの画像の時間相関（５）のステップは、前記第２のシリーズの各二次元画像（２０、３０）が時間的に最も近い前記第１のシリーズの一次元画像と相関するように実施されることを特徴とする、方法。
【請求項５】
請求項１から請求項４のいずれか一項に記載の方法（１）であって、前記第２のシリーズの画像（２０、３０）は前記第１のシリーズの単一の画像と相関していることを特徴とする、方法。
【請求項６】
請求項１から請求項５のいずれか一項に記載の方法（１）であって、前記第１のシリーズの各画像は前記第２のシリーズの異なる画像（２０、３０）と相関し、それによって、前記時間的写真判定画像（１０）の各瞬間（１５、２２）は前記第２のシリーズの画像の１つの二次元画像と相関していることを特徴とする、方法。
【請求項７】
請求項１から請求項６のいずれか一項に記載の方法（１）であって、前記第２の空間次元は、前記第１の次元に垂直に向けられることを特徴とする、方法。
【請求項８】
請求項１から請求項７のいずれか一項に記載の方法（１）であって、前記瞬間（１５、２２）は前記時間的写真判定画像（１０）の点を選択することによって選択され、前記選択された二次元画像は前記時間的画像（１０）の前記選択された点の前記横座標（１１）と相関していることを特徴とする、方法。
【請求項９】
請求項１から請求項８のいずれか一項に記載の方法（１）であって、前記第１および第２の周波数は等しいことを特徴とする、方法。
【請求項１０】
請求項１から請求項９のいずれか一項に記載の方法（１）であって、前記二次元画像（２０、３０）は分析され、二人（１６、１８）またはそれ以上の競技者間の前記距離（２１）を測定することを特徴とする、方法。
【請求項１１】
請求項１から請求項９のいずれか一項に記載の方法（１）であって、前記二次元画像（２０、３０）は分析され、前記ゴールライン（１９）と１または複数の競技者（１６、１８）との間の前記距離（２３、２４）を測定することを特徴とする、方法。
【請求項１２】
請求項１から請求項１１のいずれか一項に記載の方法（１）であって、前記第１の周波数は毎秒５００から３０，０００画像の範囲内に含まれ、前記第２の周波数は毎秒５０から５，０００画像の範囲内に含まれることを特徴とする、方法。
【請求項１３】
具体的にはスポーツ分野の前記レースのゴールの瞬間画像（２０、３０）を、前記同一のゴールの前記写真判定型（１０）の時間的画像から表示するためのシステム（４０）であって、前記システムは、
−第１の規定の周波数で、レースの前記ゴールライン（１９）の第１のシリーズの一次元瞬間画像を取得するための取得ユニット（４１）であって、前記空間次元は前記ゴールラインに沿って延び、前記取得ユニット（４１）はまた、第２の規定の周波数で、前記同一のゴールライン（１９）の二次元瞬間画像の第２のシリーズを同時に取得するように構成され、前記第１の空間次元は前記ゴールライン（１９）に向けられ、前記第２の空間次元は前記レースの方向に向けられる取得ユニット（４１）と、
−前記写真判定型の時間的画像（１０）を前記第１のシリーズの瞬間画像から形成するように構成される制御ユニット（４２）であって、前記画像は取得順に並列であり、それによって前記時間的画像の前記横座標は時間次元を示し、前記横座標（１１）の各点は前記ゴールライン（１９）の任意の瞬間に対応し、前記制御ユニット（４２）はまた、前記第２のシリーズの二次元画像（２０、３０）を分析するように構成され、前記画像（２０、３０）は時間的画像の選択された瞬間（１５、２２）に相関し、少なくとも１つの距離を測定することを特徴とする制御ユニット（４２）と、
−前記分析された二次元画像（２０、３０）を前記測定された１または複数の距離（２１、２３、２４）とともに表示するための表示ユニット（４３）と、
含むことを特徴とする、システム。
【請求項１４】
請求項１３に記載のシステム（３０）であって、前記制御ユニット（４２）は前記２つのシリーズの画像が取得される前記取得時間を測定するためのユニット（４６）を含み、前記制御ユニット（４２）は取得時間を前記２つのシリーズの画像の各画像に起因させ、時間的に前記２つのシリーズの画像を相関させるように構成され、それによって前記画像の第２のシリーズの各二次元画像（２０、３０）は、時間的に最も近い前記第１のシリーズの一次元画像と相関することを特徴とする、システム。
【請求項１５】
請求項１３または請求項１４に記載のシステム（３０）であって、前記取得ユニット（４１）は、前記第１のシリーズの画像を取得するように構成される第１のカメラ（４４）と、前記第２のシリーズの画像を取得するように構成される第２のカメラ（４５）とを含み、前記２つのカメラ（４４、４５）は前記ゴールライン（１９）の軸に沿って延びることを特徴とする、システム。
【請求項１６】
請求項１３から請求項１５のいずれか一項に記載のシステム（３０）であって、前記表示ユニットは（４３）は画面（４７）を備えることを特徴とする、システム。
【発明の詳細な説明】
【技術分野】
【０００１】
本発明は、写真判定型の時間的画像から、具体的にはスポーツ分野のレースのゴールの瞬間の画像を表示するための方法に関する。
【０００２】
本発明はまた、前述の方法を実施するために、写真判定型の時間的画像から、具体的にはスポーツ分野のレースのゴールの瞬間の画像を表示するためのシステムに関する。
【背景技術】
【０００３】
陸上短距離、サイクリング、クロスカントリースキーまたはスピードスケート競技などのレーススポーツの試合において、または馬術競技中に、競技者の順位を決めるために画像を用いることは既知である。特に、競技者が非常に近い場合に、競技者の順位を決定するために画像を用いることは既知である。これらの画像は、通常「写真判定」画像と呼ばれる。これらの画像は、ゴールラインに沿って画像の縦座標に空間次元を有し、画像の横座標に時間次元を有するという特徴を有する。したがって、画像の各垂直断面は任意の瞬間のゴールラインを表す。この時間次元によって、競技者がゴールラインに到達した順序を明確にすることができる。競技者がゴールラインに到達した瞬間は、選手の体または装具の一部によって決定される。要件はスポーツによって異なる。たとえば、陸上短距離レースでは、ゴールの瞬間は、選手の胸部の一部がゴールラインを越えるときである。スピードスケートまたはクロスカントリースキーレースでは、ゴールの瞬間はスケートまたは足がゴールラインに到達するときである。競技者が一群となってゴールすることも多いため、写真判定画像には高精度が求められる。
【０００４】
写真判定画像を形成するために、ゴールラインの画像を、たとえば毎秒１０００から１０，０００画像など、毎秒大量に撮ることができるカメラを備える撮影システムが用いられる。一般に、カメラが撮る画像はゴールラインを中心とする。つまり、カメラが撮る画像はゴールラインの垂直断面である。断面は、たとえば一画素の幅を有する。写真判定画像を得るために、垂直断面は撮影の時間的順序で互いに並列である。したがって、ゴールラインの画像は時間に応じて得られる。
【０００５】
ただし、写真判定画像は、任意の瞬間の競技者間の距離を決定することはできない。実際に、競技者は、ゴールラインに到達するときに画像に表されるだけである。そのため、任意の瞬間の競技者間の距離を決定または表示することはできない。写真判定画像では、競技者間の空間は、時間的な差を表し、空間的距離を表すわけではない。したがって、最初の競技者がゴールを越えるとき、または二人の競技者がゴールで非常に近い場合は、第１の競技者と後続の競技者との間の空間的距離を知ることが望ましい。
【発明の概要】
【０００６】
したがって、本発明の目的は、レースのゴールにおける競技者間の距離を示す画像を取得することができる方法を提示することによって前述の欠点を克服することである。画像は写真判定画像と相関している。
【０００７】
そのために、本発明は、同一のゴールの写真判定型の時間的画像から、具体的にはスポーツ分野のレースのゴールの瞬間の画像を表示するための方法に関する。本方法は、少なくとも１つのビデオカメラおよび表示装置を備える表示システムによって実施される。
【０００８】
本方法は以下のステップを含むことを特徴とする。
−第１の規定の周波数でレースのゴールラインの第１のシリーズの一次元瞬間画像を取得することであって、空間次元はゴールラインに沿って実質的に延びることと、
−第２の規定の周波数で、同一のゴールラインの二次元瞬間画像の第２のシリーズを同時に取得することであって、第１の空間次元はゴールラインに沿って延び、第２の空間次元はレースの方向に向けられることと、
−写真判定型の時間的画像を第１のシリーズの瞬間画像から形成することであって、画像は取得順に並列であり、それによって時間的画像の横座標は時間次元を示し、横座標の各点はゴールラインの任意の瞬間に対応することと、
−時間的画像の瞬間を選択することと、
−第２のシリーズの二次元画像を分析することであって、画像は選択された瞬間に相関し、少なくとも１つの距離を測定することと、
−分析された二次元画像を測定された１または複数の距離とともに表示すること。
【０００９】
本方法の特定の実施形態は従属請求項２から１２に画成する。
【００１０】
本方法によれば、瞬間を一般的な写真判定画像から選択することによって、二次元画像を写真判定画像から表示することが可能である。実際に、写真判定画像の瞬間は、ゴールラインの空間的画像に相関している。それによって、これらの瞬間と競技者間の差を示す画像とを関係付けることが可能である。
【００１１】
さらに、画像処理ソフトウェアを用いると、二次元画像上で競技者間の距離を測定することが可能である。競技者間の差の距離を算出し、表示された画像上に表すことも可能である。
【００１２】
たとえば、競技者間の距離を表す空間的画像は、写真判定画像の瞬間を選択することによって表示できる。
【００１３】
本方法は、たとえば、レースを画面で見ている観客が競技者間の差、またはゴールラインと１または複数の競技者との間の差を実感できるという有利点を有する。
【００１４】
本発明の好ましい実施形態によれば、時間的写真判定画像は瞬間を選択するために表示される。
【００１５】
本発明の好ましい実施形態によれば、取得時間は２つのシリーズの画像を取得している間に測定され、時間は両シリーズの各画像に起因する。
【００１６】
本発明の好ましい実施形態によれば、２つのシリーズの画像の時間相関のステップは、第２のシリーズの画像の各二次元画像が時間的に最も近い第１のシリーズの一次元画像と相関するように実施される。
【００１７】
本発明の好ましい実施形態によれば、第２のシリーズの画像は時間的に最も近い第１のシリーズの単一の画像と相関している。
【００１８】
本発明の好ましい実施形態によれば、第１のシリーズの各画像は異なる第２のシリーズの画像と相関し、それによって時間的写真判定画像の各瞬間は第２のシリーズの画像の二次元画像と相関している。
【００１９】
本発明の好ましい実施形態によれば、第２の空間次元は第１の次元に垂直に向けられる。
【００２０】
本発明の好ましい実施形態によれば、瞬間は時間的写真判定画像上で点を選択することによって選択される。選択された二次元画像は時間的画像で選択された点の横座標と相関している。
【００２１】
本発明の好ましい実施形態によれば、第１および第２の周波数は等しい。
【００２２】
本発明の好ましい実施形態によれば、二次元画像を分析して、２人以上の競技者の間の距離を決定する。
【００２３】
本発明の特定の技術的特徴によれば、二次元画像を分析して、ゴールラインと１または複数の競技者との間の距離を決定する。
【００２４】
本発明の特定の技術的特徴によれば、第１の周波数は毎秒５００から３０，０００画像の範囲内に含まれる。
【００２５】
本発明の特定の技術的特徴によれば、第２の周波数は毎秒５０から５，０００画像の範囲内に含まれる。
【００２６】
本発明はまた、同一のゴールの写真判定型の時間的写真判定画像から、具体的にはスポーツ分野のレースのゴールの瞬間の画像を表示するためのシステムに関する。
【００２７】
そのために、本システムは、
−第１の規定の周波数で、第１のシリーズのレースのゴールラインの一次元瞬間画像を取得するための取得ユニットであって、空間次元はゴールラインに沿って延び、取得ユニットはまた、第２の規定の周波数で、第２のシリーズの同一のゴールラインの二次元瞬間画像を同時に取得するように構成され、第１の空間次元はゴールラインに向けられ、第２の空間次元はレースの方向に向けられる取得ユニットと、
−時間的写真判定の画像を第１のシリーズの瞬間画像から形成するように構成される制御ユニットであって、画像は取得順に並列であり、それによって時間的画像の横座標は時間次元を示し、横座標の各点はゴールラインの任意の瞬間に対応し、制御ユニットはまた、第２のシリーズの二次元画像を分析するように構成され、画像は選択された瞬間に相関し、少なくとも１つの距離を測定することを特徴とする制御ユニットと、
−前記分析された二次元画像を測定された１または複数の距離とともに表示するための表示ユニットと、
を含む。
【００２８】
本方法の特定の実施形態は、従属請求項１３〜１６に画定される。
【００２９】
本発明の特定の実施形態によれば、制御ユニットは２つのシリーズの画像が取得される取得時間を測定するためのユニットを含む。制御ユニットは取得時間を両シリーズの各画像に起因させ、時間的に前記２つのシリーズの画像を相関させるように構成される。それによって第２のシリーズの画像の各二次元画像は、時間的に最も近い第１のシリーズの一次元画像と相関する。
【００３０】
本発明の特定の実施形態によれば、取得ユニットは、第１のシリーズの画像を取得するように構成される第１のカメラと、第２のシリーズの画像を取得するように構成される第２のカメラとを含む。２つのカメラはゴールラインの軸に沿って配向される。
【００３１】
本発明の特定の実施形態によれば、表示ユニットは画面を含む。
【００３２】
本発明による表示方法およびシステムの目的、有利点および特徴は、図によって例示される少なくとも１つの非限定実施形態の以下の説明によって、より明らかになるであろう。
【図面の簡単な説明】
【００３３】
【図１】本発明による表示方法の概要図である。
【図２】陸上競技のゴールの写真判定型の時間的画像の概略図である。
【図３】時間的画像の第１の瞬間に相関している第１の二次元画像の概略図である。
【図４】時間的画像の第２の瞬間に相関している第２の二次元画像の概略図である。
【図５】本発明による表示システムの概略図である。
【発明を実施するための形態】
【００３４】
本発明によれば、本方法によって、時間的写真判定画像と二次元画像との相関が可能となる。それによって、たとえば競技者間、または１または複数の競技者とゴールラインとの間のレースのゴール時の距離の差を算出することができる。前述の本方法は、たとえば、陸上、クロスカントリースキー、スピードスケートまたはサイクリングレース、または馬術競技に関する。本方法は少なくとも１つのビデオカメラと表示装置を備える映像取得および表示システムによって実施される。
【００３５】
図１において、本発明による方法１は、具体的にはスポーツ分野のレースのゴールの瞬間画像を、同一のゴールラインの時間的写真判定画像から表示するための方法である。
【００３６】
本方法は、第１の規定の周波数でレースのゴールラインの第１のシリーズの一次元瞬間画像を取得すること２からなる第１のステップを含む。空間次元はゴールラインに沿って延びる。現在の写真判定カメラは、たとえば、毎秒５００から３０，０００画像の範囲内に含まれる第１の周波数を提供可能である。
【００３７】
同時に、第２のステップにおいて、本方法は、第２の規定の周波数で、同一のゴールラインの二次元瞬間画像の第２のシリーズを取得すること３からなる。画像において、第１の空間次元はゴールラインに沿って延び、第２の空間次元はレースの方向に向けられる。好ましくは、第２の空間次元は第１の次元に垂直に向けられる。現在の二次元カメラは、たとえば、毎秒５０から５，０００画像の範囲内に含まれる第２の周波数を提供可能である。
【００３８】
また、同時に、第３のステップでは、２つのシリーズの画像の取得中に取得時間を計測する４。たとえば、この時間は２つのシリーズの画像の取得周波数によって計測される。したがって、時間は２つのシリーズの各画像に起因する。その結果として、画像は取得された瞬間によって時間順に順位を付けられてもよい。
【００３９】
次に、第４のステップは、第２のシリーズの画像の二次元画像が第１のシリーズの一次元画像に対応するように、２つのシリーズの画像の時間相関５からなる。つまり、各画像に起因する時間によって、第１のシリーズの画像と第２のシリーズの画像との間に時間的関係ができる。一方では、画像は各シリーズ内で互いに関して整理され、他方では、画像はシリーズ間で相関される。相関は時間的に最も第１のシリーズの画像に近い第２のシリーズの画像を選択することによって実施される。
【００４０】
第１の周波数が第２の周波数より高いとき、二次元画像は一次元画像より少ない。このような事例では、１つの二次元画像と相関している複数の一次元画像があってもよい。
【００４１】
特定の実施形態によれば、第１のシリーズの一次元画像と同じくらい多くの第２のシリーズの二次元画像を得るために、第１および第２の周波数は等しい。したがって、第１のシリーズの各画像は第２のシリーズの画像と相関している。本実施形態では、２つの型の画像、特に二次元画像に対するカメラの取得能力に基づいて、同一周波数を選択する。
【００４２】
第５のステップの機能は、第１のシリーズの瞬間画像から写真判定型の時間的画像を形成すること６である。そのために、画像は取得の順に互いに並列である。したがって、時間的画像の横座標は時間次元を表す。時間的画像の横座標の各点はゴールラインの任意の瞬間に対応する。相関の結果として、時間的写真判定画像の各瞬間は結果的に第２のシリーズの二次元画像と相関している。
【００４３】
第６のステップ７では、時間的画像の瞬間を選択する。好ましい実施形態では、時間的写真判定画像は瞬間を選択するために表示される７。写真判定画像上の点がこの目的のために選択される。この点の横座標は対応する瞬間を提供し、それによって選択された点の横座標と相関している二次元画像が選択可能となる。たとえば、第２の競技者または複数の後続する競技者との間の距離の差を確立するために、第１の競技者がゴールラインに到達する瞬間が選択される。
【００４４】
第７のステップで、第２のシリーズから画像を選択後、画像を分析し８、少なくとも所望する距離を測定する。画像分析ソフトウェアを用いて、この距離を測定可能である。二次元画像を分析し、ゴールラインと１または複数の競技者との間の距離を測定する。本ソフトウェアは好ましくは、二次元画像からの距離を算出可能なように、レース前に校正される。
【００４５】
第８のステップは、選択され、分析された二次元画像を測定した１または複数の距離を表示することによって、表示すること９からなる。画像は、たとえば、テレビ画面上に表示され、第１の競技者と後続する競技者との間の空間的距離を示す。同時に時間的写真判定画像を示して、競技者のゴールの順序を示すことも可能である。
【００４６】
本方法によって時間的写真判定画像から、距離の差を示す画像を算出し、表示することが容易となる。
【００４７】
図２は、本方法によるゴールラインの第１のシリーズの一次元画像から得た時間的写真判定画像１０を示す。画像の横座標１１はゴールライン上で経過する時間を表すため、この画像は「時間的な」画像と呼ばれる。時間的画像１０の横座標１１は、結果的に時間次元を表し、縦座標１２はゴールラインの空間次元を表す。時間的画像の横座標１１の各点はゴールラインの任意の瞬間に対応する。したがって、走者１３がゴールラインに到達する瞬間１４を観察することができる。実際に、走者１３がレースのゴールラインに到着するとき、写真中の各走者１３は瞬間１４で表される。これらの瞬間は縦座標１１に垂直で、走者１３を通過する線によって決定される。したがって、画像１０の横座標１１上の２つの走者１３間の差は時間的な差であり、空間的距離の差ではない。
【００４８】
前述の本発明によって、たとえば画像１０の第１の瞬間１５を選択する。第１の瞬間１５は、第１の走者１５がゴールラインを越える瞬間に対応する。本例では、第１の走者と第２の走者との間の距離は、この瞬間１５と相関している第２のシリーズの相関画像で表示することが望ましい。
【００４９】
図３は、図２の時間的画像１０で選択された第１の瞬間と相関している第２のシリーズの画像を示す。瞬間画像２０は走者１３のゴールを示し、特に第１の走者１６がゴールライン１９上にいて、第２の走者１８がその次にいるところを示す。画像２０によって、レースのこの瞬間において、第１の走者１６と第２の走者１８との間の距離２１を分析して算出することが可能となる。事前校正した画像分析ソフトウェアは、二人の走者間の距離２１を計測し、ここでは２．２３ｍである。この画像２０は次に、測定結果とともに表示され、走者１６、１８間の空間的距離２１を示す。距離２１は図中、両方向の矢印によって表される。
【００５０】
たとえば、図２の時間的画像１０の第２の瞬間２２が選択される場合、図４の相関二次元画像３０が得られる。本例では、第１の走者１６がゴールライン２１に到達する直前の第２の瞬間が選択される。最初の二人の走者１６、１８とゴールライン１９との間の距離が算出される。第１の走者はゴールラインから０．９７ｍであり、第２の走者はゴールラインから３．３１ｍである。この画像３０は次に、前述の方法によって示される距離とともに表示される。
【００５１】
本発明はまた、具体的にはスポーツ分野のレースのゴールの瞬間画像を表示するためのシステムに関する。瞬間画像は少なくとも１つの距離の差を示す。システムは、特に前述の方法を実施するために適切である。システムによって、写真判定画像を二次元画像に相関させることが可能となる。さらに、二次元画像を時間的写真判定画像から選択することが可能となる。
【００５２】
図５において、システム４０は、取得ユニット４１と、制御ユニット４２と、表示ユニット４３とを備える。
【００５３】
好ましい実施形態では、取得ユニット４１は、第１の規定の周波数で、第１のシリーズの画像を取得するように構成される第１のカメラ４４と、第２の規定の周波数で、第２のシリーズの画像を取得するように構成される第２のカメラ４５とを含む。２つのカメラ４４および４５はゴールラインの軸に沿って配向され、レースのゴールの画像を得る。
【００５４】
第１のカメラ４４は、レースのゴールラインの一次元瞬間画像を撮るように構成される。空間次元はゴールラインに沿って延びる。このタイプのカメラは通常写真判定画像を形成するために用いられる。第１のカメラ４４は、たとえば、毎秒５００から３０，０００画像の範囲内に含まれる第１の周波数を有する。第１のカメラ４４は第１のシリーズの一次元画像を制御ユニット４２に送信し、制御ユニット４２は時間的写真判定画像を形成する。
【００５５】
第２のカメラ４５は、第２のシリーズの同一のゴールラインの二次元瞬間画像を取得するように構成される。第１の空間次元はゴールラインに向けられ、第２の空間次元はレースの方向に向けられる。第２のカメラ４５は二次元画像を制御ユニット４２に送信する。第２のカメラ４５は、たとえば、毎秒５０から３０，０００画像の範囲内に含まれる第２の周波数を有する。
【００５６】
制御ユニット４２は、２つのシリーズの画像を取得する取得時間を測定するためのユニット４６を含む。特に、レースのゴールで、第１および第２のシリーズは同時に取得される。時間測定ユニット４６によって、制御ユニット４２は、取得時間を本方法による２つのシリーズの画像の各画像に起因させるように構成される。さらに、制御ユニット４２は、カメラ４４、４５の画像取得周波数を画成する。制御ユニット４２は周波数をカメラ４４、４５に送信する。周波数は各カメラ４４、４５の取得能力によって選択される。
【００５７】
取得時間を各画像に起因させることによって、制御ユニット４２は時間的に２つのシリーズの画像を相関させることができる。したがって、第２のシリーズの画像の二次元画像は第１のシリーズの一次元画像と相関している。第１のシリーズの画像は、時間的に最も近い第２のシリーズの画像と相関している。好ましくは、第１のシリーズの各画像は第２のシリーズの１つの画像と相関している。
【００５８】
制御ユニット４２はまた、時間的写真判定画像を第１のシリーズの瞬間画像から形成するように構成される。画像は取得順に並列であり、それによって時間的画像の横座標は時間次元を示し、横座標の各点はゴールラインの任意の瞬間に対応する。
【００５９】
制御ユニット４２はまた、第２のシリーズの二次元画像を分析し、走者間の距離、またはゴールライン１とまたは複数の走者との間の距離を測定するように構成される。瞬間が時間的画像上で選択されると、制御ユニットはこの瞬間と相関している二次元画像を分析する。様々な実施形態によれば、算出が必要な距離、つまり、走者間の距離か、またはゴールラインと１または複数の走者との間の距離かは事前に規定される。次に、制御ユニットは分析された画像を表示ユニット４３に送信する。
【００６０】
制御ユニット４２はまた、時間的画像を表示し、個人、たとえば審判／レフリー／ジャッジまたはテレビのプロデューサが瞬間および算出対象の距離を選択できる機能を有していてもよい。したがって、本方法によって瞬間を選択するために、個人は画面に表示されている画像上の点をクリックする。点の横座標は、その点に相関している二次元画像を決定する。さらに、個人はまた、画像分析ソフトウェアによって算出される距離を画像上で選択してもよい。そのために、制御ユニット４２は、前記個人がアクセス可能な画面（不図示）を備える。
【００６１】
表示ユニット４３は、分析された二次元画像を測定された１または複数の距離とともに表示するための画面４７を含む。表示ユニット４３はまた、たとえばテレビまたはインターネットなどで、特にスポーツイベントでの再送信などの事例において、分析された画像（不図示）を送信し１または複数の遠隔画面に表示させるための手段を備えていてもよい。
【００６２】
当然のことながら、本発明は図を参照して説明した実施形態に限定されず、本発明の範囲から逸脱せずに変形を考案しえる。特に、第１および第２の画像取得周波数の値は２種類のカメラの技術能力の向上によって可能になる場合は、さらに高い値を選択しえる。
【符号の説明】
【００６３】
１０  ：画像
１１  ：横座標
１２  ：縦座標
１３  ：走者
１４  ：瞬間
１９  ：ゴールライン
２１  ：距離
３０  ：画像
４０  ：システム
４１  ：取得ユニット
４２  ：制御ユニット
４３  ：表示ユニット
４４  ：第１のカメラ
４５  ：第２のカメラ
４６  ：時間測定ユニット
４７  ：画面
【図１】
2020096356.tif 000003
【図２】
2020096356.tif 000004
【図３】
2020096356.tif 000005
【図４】
2020096356.tif 000006
【図５】
2020096356.tif 000007
【外国語明細書】
2020096356000001.pdf